(57)【要約】【課題】カードが例え高速で動かされても、また例えカードが刻印のないあらゆる種類の情報や像を有していたとしても、カードの読み取りが確実に出来る方法と装置を提供する。【解決手段】本発明は、望ましくはクレジットカードあるいはレジャーカードであって、それぞれのカード(2)はカードの所有者あるいは保持者に関する個人情報(4-6)、例えば名前及びカード番号を表す刻印されたシンボル(3)を有する一連のカード(2)の製造における制御方法と製造装置に関する。一連のカード(2)の前記刻印されたシンボル(3)は、カード(2)に向けてレーザー光（10）を照射し、前記カード（2）によって反射されるレーザー光（12）を受光するレーザー照射機/受光機（8）によって読み取られる。読み取られた情報及びカード(2)の前記刻印されたシンボル(3)を表す情報は、あらかじめ定められた情報と照合するかどうかを比較され、該情報が照合しなかった場合にはエラーが報知される。【選択図】図１
2005182810.tif 000002
【特許請求の範囲】
【請求項１】
望ましくはクレジットカードあるいはレジャーカードであって、それぞれのカード(2)はカードの所有者あるいは保持者に関する個人情報(4-6)、例えば名前及びカード番号を表す刻印されたシンボル(3)を有する一連のカード(2)を製造する場合の制御方法であって、
それぞれのカード(2)の前記刻印されたシンボル(3)は、カード(2)に向けてレーザー光（10）を照射し、前記カード（2）によって反射されるレーザー光（12）を受光するレーザー照射機/受光機（8）によって読み取られ、
カード(2)の前記刻印されたシンボル(3)を表す読み取られた情報は、前記情報が照合するかどうかを制御するためにあらかじめ定められた情報と比較され、前記情報が照合しなかった場合にはエラーが報知される
ことを特徴とする一連のカード(2)を製造する場合の制御方法。
【請求項２】
カードの所有者あるいは保持者に関する個人情報（5,6）及び/またはカードの所有者あるいは保持者の個人のカード番号（4）を表す読み取られた情報は、個人情報、及び/またはカード番号に関する情報と比較装置（15）で比較されることを特徴とする請求項１記載の制御方法。
【請求項３】
カード(2)が前記レーザー照射機/受光機（8）を通過する情報は、一連のカードの中で前記カード（2）以外には製造されていないことを制御するため、及び/またはカード（2）の様々な情報が正しく記載されているか、及び/またはあらかじめ定められた情報と照合するかどうかを制御するために、一連のカードの中で唯一のカードであることを示す情報と比較されることを特徴とする請求項１記載の制御方法。
【請求項４】
それぞれのカードの前記刻印されたシンボル(3)による情報は、前記刻印されたシンボル(3)による情報とカード(2)の磁気テープ情報(16a)が照合するかどうかを制御するために、カード(2)の前記磁気テープ情報(16a)と比較されることを特徴とする請求項１乃至３記載の制御方法。
【請求項５】
前記レーザー照射機/受光機（8）を通過するカード(2)の番号が読み取られ、前記カード(2)に関する情報は、カード（2）の前記番号が正しいかどうかを制御するため一連のカードの中で前記カード(2)に与えられた番号の情報と比較されることを特徴とする請求項１乃至４記載の制御方法。
【請求項６】
読み取られた制御情報は関係の無い情報と分離されることを特徴とする請求項１乃至５記載の制御方法。
【請求項７】
カード(2)の上面（7）にある前記刻印されたシンボル(3)の部分の情報は、あらかじめ定められた情報と比較するために他の情報と分離されることを特徴とする請求項６記載の制御方法。
【請求項８】
一連のカード（2）は読み取り中に前記レーザー照射機/受光機（8）に対して相対的に動かされることを特徴とする請求項１乃至７記載の制御方法。
【請求項９】
カード（2）の前記刻印されたシンボル(3)を読み取るための前記レーザー光（10）は、半導体レーザーの前記レーザー照射機/受光機（8）によって発生することを特徴とする請求項１乃至８記載の制御方法。
【請求項１０】
カード（2）の前記刻印されたシンボル(3)を読み取るために前記レーザー光（10）を照射したり受けたりする前記レーザー照射機/受光機（8）は、波長が650nmから658nmの領域で動作することを特徴とする請求項１乃至９記載の制御方法。
【請求項１１】
カード（2）の前記刻印されたシンボル(3)を読み取るために前記レーザー照射機/受光機（8）から照射される前記レーザー光（10）は可視光であることを特徴とする請求項１乃至１０記載の制御方法。
【請求項１２】
カード（2）の前記刻印されたシンボル(3)を読み取るために前記レーザー光（10）を照射したり受けたりする前記レーザー照射機/受光機（8）は、前記カード（2）が前記レーザー照射機/受光機（8）を通過するとき、それぞれのカード（2）の前記刻印されたシンボル(3)の全てを読むことができるレーザー光の幅を有することを特徴とする請求項１乃至１１記載の制御方法。
【請求項１３】
カード（2）は刻印のない情報、及び/または刻印のない像（19）、例えばカードの所有者あるいは保持者の顔を有しているクレジットカードあるいはレジャーカードであることを特徴とする請求項１乃至１２記載の制御方法。
【請求項１４】
それぞれのカード（2）の前記刻印されたシンボル(3)に関する情報は、それぞれのカード（2）が正しい搬送機（17）に添付される様に制御するため、前記カード（2）が添付される前記搬送機（17）に関する情報と比較されることを特徴とする請求項１乃至１３記載の制御方法。
【請求項１５】
カード（2）の名前に関する情報は前記搬送機（17）の対応する名前に関する情報(6a)と比較されることを特徴とする請求項１４記載の制御方法。
【請求項１６】
前記搬送機（17）は郵便小包の様に設計され、あるいは郵便小包の様な形に設計することができることを特徴とする請求項１４または１５記載の制御方法。
【請求項１７】
望ましくはクレジットカードあるいはレジャーカードであって、それぞれのカード(2)はカードの所有者あるいは保持者に関する個人情報(4-6)、例えば名前及びカード番号を表す刻印されたシンボル(3)を有する一連のカード(2)を製造する場合の制御装置であって、
カード（2）の前記刻印されたシンボル(3)を読み取るために、一連のカード(2)に向けてレーザー光（10）を照射し、前記カード（2）によって反射されたレーザー光（12）を受光するレーザー照射機/受光機（8）を具備し、更に
ソフトウエアあるいはソフトウエアに類するものによって、読み取り時に得られた情報およびカード（2）の前記刻印されたシンボル(3)が表す情報をあらかじめ定められた情報と照合するかどうかを制御するために比較し、照合しなかった場合にはエラーを報知する比較装置（15）を具備することを特徴とする制御装置。
【請求項１８】
カードの所有者あるいは保持者に関する個人情報（5,6）、及び/またはカードの所有者あるいは保持者の個人のカード番号（4）を表す読み取られた情報を、個人情報、及び/またはクレジットカードあるいはレジャーカードの番号に関する情報と比較する前記比較装置（15）を具備することを特徴とする請求項１７記載の制御装置。
【請求項１９】
二枚以上のカードが前記レーザー照射機/受光機（8）を通過しない様に制御するため、及び/または前記カード（2）の様々の情報が正しく記載されているかどうか、及び/または前記情報があらかじめ定められた情報と照合するかどうかを制御するために、カード（2）が前記レーザー照射機/受光機（8）を通過する情報を唯一のカード（2）のみが通過する情報と比較する前記比較装置（15）を具備することを特徴とする請求項１７または１８記載の制御装置。
【請求項２０】
カード（2）の刻印されたシンボル(3)による情報を、前記情報がカード（2）の磁気テープの情報(16a)と照合する様に管理するため前記カード（2）の磁気テープの前記情報(16a)と比較する前記比較装置（15）を具備することを特徴とする請求項１７乃至１９記載の制御装置。
【請求項２１】
製造されたカード（2）の番号が正しいかどうかを制御するため、前記レーザー照射機/受光機（8）を通過するカード（2）の番号に関する情報を、一連のカードの中の与えられた番号に関する情報と比較する前記比較装置（15）を具備することを特徴とする請求項１７乃至２０記載の制御装置。
【請求項２２】
読み取られた制御情報を無関係の情報から分離する識別装置（18）を具備することを特徴とする請求項１７乃至２１記載の制御装置。
【請求項２３】
カード（2）の上面（7）にある前記刻印されたシンボル(3)の部分からの情報を、あらかじめ定められた情報との比較のために他の情報と分離する前記識別装置（18）を具備することを特徴とする請求項１７乃至２２記載の制御装置。
【請求項２４】
一連のカード（2）は前記レーザー照射機/受光機（8）との相対的な移動のために運搬路あるいは搬送路（13）の上にあることを特徴とする請求項１７乃至２３記載の制御装置。
【請求項２５】
前記レーザー照射機/受光機（８）は半導体レーザーであることを特徴とする請求項１７乃至１９記載の制御装置。
【請求項２６】
前記レーザー照射機/受光機（８）は、波長が650nmから658nmの領域で動作することを特徴とする請求項１７乃至２５記載の制御装置。
【請求項２７】
前記レーザー照射機/受光機（8）は可視光を照射することを特徴とする請求項１７乃至２６記載の制御装置。
【請求項２８】
前記レーザー照射機/受光機（8）は、カード（2）が前記レーザー照射機/受光機（8）を通過するとき、前記カード（2）の前記刻印されたシンボル(3)の全てを読むことができる幅を有する前記レーザー光（10）を照射することを特徴とする請求項１７乃至２７記載の制御装置。
【請求項２９】
カード（2）は刻印のない情報、及び/または刻印のない像（19）、例えばカードの所有者あるいは保持者の顔を有しているクレジットカードあるいはレジャーカードであることを特徴とする請求項１７乃至２８記載の制御装置。
【請求項３０】
カード（2）が指定された搬送機に（17）に添付されるように制御するため、前記カード（2）の前記刻印されたシンボル(3)に関する情報を前記カード（2）が添付されるべき前記搬送機（17）に関する情報と比較する前記比較装置（15）を具備することを特徴とする請求項１７乃至２９記載の制御装置。
【請求項３１】
カード（2）の名前（6）に関する情報を、前記搬送機に（17）の名前(6a)に関する対応する情報と比較する比較装置（15）を具備することを特徴とする請求項３０記載の制御装置。
【請求項３２】
前記搬送機に（17）は郵便小包の様に設計され、あるいは郵便小包の様な形に設計することができることを特徴とする請求項３０または３１記載の制御装置。
【発明の詳細な説明】
【技術分野】
【０００１】
本発明は一連のカード、望ましくはクレジットカードあるいはレジャーカード（ledger  card）、の製造における制御方法及び制御装置に関する。これらの一連のカードはそれぞれ刻印されたシンボル、望ましくはカードの所有者あるいは保持者の名前及びカード番号を有している。
【背景技術】
【０００２】
下記の特許文献１には、図１７に図解し、また関連テキストの中でレーザーを使ってカードを読み取ることにより誤り位置を検出する制御方法が記載されている。
【０００３】
他の従来技術では、カード上の文書がカメラによって読み取られる。
【０００４】
【特許文献１】英国特許出願公開第2205529号明細書
【発明の開示】
【発明が解決しようとする課題】
【０００５】
もしカード上に像あるいは光沢のあるコーティングがある場合、例えば、金属コーティング等がある場合、カメラの読み取りは妨害されて誤動作を引き起こす。特にカードがカメラに対して相対的に早く動き、カードの迅速な読み取りが要求される場合に誤動作を引き起こす。
【課題を解決するための手段】
【０００６】
本発明の目的はこの問題を解決することであり、請求項１及び請求項１７に記載されている特徴的な計測及び特徴的な形状を有する初期設定制御法及び初期設定制御装置を具備する発明によって達成される。
【発明の効果】
【０００７】
制御計測を行い、レーザー光によってカード上のカード所有者の個人情報を読み取ることによって、カードが例え高速で動かされても、また例えカードが刻印のないあらゆる種類の情報や像を有していたとしても、様々な目的のためのカードの読み取りを確実なものとすることができる。
【発明を実施するための最良の形態】
【０００８】
以下に、本発明について図を参照しながら更に説明する。
【０００９】
図に示されている制御装置1は一連のカードを構成する個々のカード2を制御するために取り付けられている。個々のカードはそれぞれ異なる刻印されたシンボル3を有している。
【００１０】
カード2は望ましくはクレジットカードあるいはレジャーカード（ledger  card）であり、刻印されたシンボル3は望ましくはカードの所有者あるいは保持者の個々の情報、例えばカード番号の数値、口座番号4、年月を示す番号5、およびカード所有者の名前6、等を表している。
【００１１】
図２に図示されているように、カード2の上面7に凸状に刻印されたシンボルによってシンボルが形成されている。
【００１２】
制御装置1はレーザー照射機/受光機8を有している。レーザー照射機/受光機8はカード2に向けてレーザー光10を照射する照射機9と、カード2によって反射されたレーザー光12を受光する受光機12を有する。レーザー照射機/受光機8は、この実施例では概念的に図示してある輸送路あるいは搬送路13の上に固定されている。搬送路13に沿って一連のカード2は互いに位置し、矢印14の方向に高速で搬送あるいは供給される。
【００１３】
レーザー照射機/受光機8のレーザー光10はカード2の台形状シンボル3を読むために照射され、反射されたレーザー光12は個々のカードの読み取られた台形状シンボル3に関する情報を提供する。この情報は電気信号としてソフトウエアあるいはこれに類するものと一緒に比較装置15に送信される。そして、個々のカードの台形状シンボル3を表すこの情報は、あらかじめ定められた制御情報と照合するかどうかが比較される。
【００１４】
比較装置15は読み取られた情報を照合する、あらかじめ定められた様々な情報を使ってプログラムすることができる。そのような情報の例としては、口座の所有者に関する個人情報がある。例えば、名前、誕生日、カード番号、あるいはその他のあらゆる個人情報がある。これらの情報は一連のカードの中でカードが唯一になるように制御するため、また口座番号4あるいはカード2に口座の所有者の名前6が正しく記載されるように制御するため、あるいはこれらの情報が照合する様に制御するために使うことが出来る。もしこれらの情報の間に何の照合もない場合には、これは修正可能なエラーであることを示している。
【００１５】
制御可能な情報は、カード2がレーザー照射機/受光機8をただ一回だけ通過するかどうかである。と言うのは、同じ情報を有する２枚あるいはそれ以上のカードはレーザー照射機/受光機8を通過することができないので。他の制御可能な情報は、カード2の全ての情報が正しく且つ照合するかどうかである。従って、カード2に磁気テープ16がある場合には磁気テープの情報16aと台形状シンボル3が照合するかどうかを制御することができる。カード2は搬送機17に、例えば郵便小包のように使えるあるいは郵便小包のように形作られたれたシート20に添付することができる。このようにして、シート20を直線21に沿って折り曲げることができ、封印の出来る二重折畳みカードあるいは手紙とすることができる。更に、制御できる情報としてはカード2の情報と搬送機17の情報が照合するかどうかである。シート20にはカードの所有者名を付ける事ができ、カード2の名前6は小包が正しい人に送られることを確実にするため比較装置15によって小包17の名前6aと比較される。
【００１６】
また、比較装置15は一連のカードの番号に関する情報と、装置を通過するカード2の番号に関する情報を比較するのに使う事が出来る。これによって製造されたカード2の番号が正しいかどうか、カードが紛失していないかどうか、あるいは間違って番号が二重になっていないかどうかを知ることが出来る。
【００１７】
識別装置18は制御情報を関係のない情報から識別することができる。これは識別装置18内のソフトウエアあるいはこれに類するものによって実行される。識別装置18は、例えば、カード2の上面7にある台形状シンボル3から得られる情報を分離することが出来る。これによって、例え上面7が平らでなくとも、つまりカード2が曲がっていても正しい読み取りが確実に出来る。
【００１８】
レーザー照射機/受光機8には様々の適したタイプがある。半導体レーザー（ダイオード・レーザー）では、当該問題の制御に関してよい結果が得られている。この半導体レーザーは波長が650nmから658nmの間で動作し、可視光を放射および受光できる。望ましくは、半導体レーザーはカードがレーザー光領域を通過する時、カード2の台形状シンボル3が全て読み取れる幅の光を照射できることである。
【００１９】
本発明は上記に記載されまた図示された発明に限られるものではなく、特許請求の範囲に含まれる範囲内において変更可能である。従ってカード2はプラスチック、及び/または他の適した材料であっても良い。またカード2は、クレジットカードあるいはレジャーカード（ledger  card）、個人識別カード、メンバーシップカード等、様々な目的のものであって良い。カード2には情報、及び/または像19、刻印はないが例えばカード所有者の像を付けることができる。この情報、及び/または像はカラーであっても良いし白黒であっても良い。
【図面の簡単な説明】
【００２０】
【図１】本発明のカード制御における制御装置の概要側面図である。
【図２】カードの断面と共に示した図１の装置を部分拡大した側面図である。
【図３】カード制御におけるカードの平面図である。
【図４】カード制御におけるカードとカードがセットされている搬送機の平面図である。
【符号の説明】
【００２１】
1  制御装置
2  カード
3  刻印されたシンボル
4〜6  個人情報
7  カードの上面
8  レーザー照射機/受光機
9  レーザー照射機
10  レーザー光
15  比較装置
16  磁気テープ
16a  磁気テープ情報
17  搬送機
18  識別装置
19  像
【図１】
2005182810.tif 000003
【図２】
2005182810.tif 000004
【図３】
2005182810.tif 000005
【図４】
2005182810.tif 000006